(57)【要約】【課題】画像の修正のためのユーザの作業負荷と、考査の作業負荷とを軽減する。【解決手段】考査処理装置は、ユーザ端末からフォトブックの注文を受け付ける注文処理部と、前記フォトブックに使用されているユーザ画像を受信する受信部と、前記ユーザ画像に、フォトブックの作製に使用できない不適切画像が含まれているか否か判定する考査処理部と、前記不適切画像内の不適切部分を修正する画像処理部と、を備える。【選択図】図１
2019213093.tif 000002
【特許請求の範囲】
【請求項１】
ユーザ端末からフォトブックの注文を受け付ける注文処理部と、
前記フォトブックに使用されているユーザ画像を受信する受信部と、
前記ユーザ画像に、フォトブックの作製に使用できない不適切画像が含まれているか否か判定する考査処理部と、
前記不適切画像内の不適切部分を修正する画像処理部と、
を備える考査処理装置。
【請求項２】
前記画像処理部は、前記不適切画像における前記不適切部分の位置、面積比率、又は形状に応じた修正方法で前記不適切部分を修正することを特徴とする請求項１に記載の考査処理装置。
【請求項３】
前記修正方法は、レイアウト変更、ぼかし、スタンプ合成、又は塗りつぶしによる消去であることを特徴とする請求項２に記載の考査処理装置。
【請求項４】
前記画像処理部は、前記不適切部分の面積比率が所定値未満の場合、前記不適切部分にスタンプを合成し、前記不適切部分の面積比率が所定値以上の場合、レイアウト変更により前記不適切部分が入らないようにすることを特徴とする請求項２又は３に記載の考査処理装置。
【請求項５】
前記フォトブックに使用されている画像のうち、前記画像処理部により前記不適切部分の修正を施した画像にフラグを付与することを特徴とする請求項１乃至４のいずれか１項に記載の考査処理装置。
【請求項６】
ユーザ端末からフォトブックの注文を受け付ける工程と、
前記フォトブックに使用されているユーザ画像を受信する工程と、
前記ユーザ画像にフォトブックの作製に使用できない不適切画像が含まれているか否か判定する工程と、
前記不適切画像内の不適切部分を修正する工程と、
を備える考査処理方法。
【発明の詳細な説明】
【技術分野】
【０００１】
本発明は、考査処理装置及び考査処理方法に関する。
【背景技術】
【０００２】
従来、デジタルカメラやスマートフォン等で撮影した画像を、ネットワーク上にアップロードして保存することが行われている。アップロードした画像を所定のレイアウトに当てはめてプリントし、フォトブックやポスター等の作品を作製するサービスが知られている（例えば特許文献１参照）。
【０００３】
フォトブックを作製するにあたり、サービス提供者は、フォトブックに使用されている画像が適切な画像か否かを判定する、いわゆる考査を行っている。従来、考査は人手による目視で行っており、例えば、画像が著作権や肖像権を侵害していないか、公序良俗に反していないか、不正転売の目的がないかなどを判断している。
【０００４】
考査により不適切な画像が検出されると、オペレータがユーザ（フォトブック注文者）に連絡し、考査リジェクトの理由を伝え、画像の修正や差し替えを依頼する。フォトブックの注文を終えたユーザにとって、画像の修正や差し替えの作業は面倒なものであり、満足度が低下するおそれがある。また、ユーザが修正作業を面倒に感じて注文をキャンセルした場合、サービス提供者にとって売上機会のロスになる。
【０００５】
また、考査処理やユーザへの連絡は人手によるものであり、フォトブックの注文数の増加に伴い、人的コストの増加や、考査業務の遅延に伴うフォトブックの納品遅延等の問題が発生するおそれがあった。
【先行技術文献】
【特許文献】
【０００６】
【特許文献１】特開２００５−３３９２１４号公報
【特許文献２】特開２００８−３３６５４号公報
【特許文献３】特許第５４５４１１８号公報
【発明の概要】
【発明が解決しようとする課題】
【０００７】
本発明は、画像の修正のためのユーザの作業負荷と、考査の作業負荷とを軽減する考査処理装置及び考査処理方法を提供することを課題とする。
【課題を解決するための手段】
【０００８】
本発明による考査処理装置は、ユーザ端末からフォトブックの注文を受け付ける注文処理部と、前記フォトブックに使用されているユーザ画像を受信する受信部と、前記ユーザ画像に、フォトブックの作製に使用できない不適切画像が含まれているか否か判定する考査処理部と、前記不適切画像内の不適切部分を修正する画像処理部と、を備えるものである。
【０００９】
本発明の一態様では、前記画像処理部は、前記不適切画像における前記不適切部分の位置、面積比率、又は形状に応じた修正方法で前記不適切部分を修正する。
【００１０】
本発明の一態様では、前記修正方法は、レイアウト変更、ぼかし、スタンプ合成、又は塗りつぶしによる消去である。
【００１１】
本発明の一態様では、前記画像処理部は、前記不適切部分の面積比率が所定値未満の場合、前記不適切部分にスタンプを合成し、前記不適切部分の面積比率が所定値以上の場合、レイアウト変更により前記不適切部分が入らないようにする。
【００１２】
本発明の一態様では、前記フォトブックに使用されている画像のうち、前記画像処理部により前記不適切部分の修正を施した画像にフラグを付与する。
【００１３】
本発明による考査処理方法は、ユーザ端末からフォトブックの注文を受け付ける工程と、前記フォトブックに使用されているユーザ画像を受信する工程と、前記ユーザ画像にフォトブックの作製に使用できない不適切画像が含まれているか否か判定する工程と、前記不適切画像内の不適切部分を修正する工程と、を備えるものである。
【発明の効果】
【００１４】
本発明によれば、画像の修正のためのユーザの作業負荷と、考査の作業負荷とを軽減できる。
【図面の簡単な説明】
【００１５】
【図１】本発明の実施形態に係るフォトブック作製システムの概略図である。
【図２】注文したフォトブックに権利で保護された対象が含まれている場合にユーザ端末に表示される画面の例を示す図である。
【図３】修正画像確認画面の例を示す図である。
【図４】画像修正の一例を示す図である。
【図５】画像修正の一例を示す図である。
【図６】画像修正方法選択画面の例を示す図である。
【図７】同実施形態に係るサーバ装置の構成及び機能ブロックを示す図である。
【図８】同実施形態に係る考査処理を説明するフローチャートである。
【発明を実施するための形態】
【００１６】
以下、本発明の実施の形態を図面に基づいて説明する。
【００１７】
図１に示すように、本発明の実施形態に係るフォトブック作製システムは、サーバ装置１及び考査者端末３を備える。サーバ装置１は、インターネット等の通信ネットワークを介して、考査者端末３及びユーザ端末７と通信可能となっている。サーバ装置１は、ユーザ端末７からフォトブックの注文を受け付ける。
【００１８】
ユーザ端末７は、ＰＣ、スマートフォン、タブレット端末等である。ユーザ端末７には、複数の画像が保存されている。保存されている画像は、ユーザがスマートフォンやデジタルカメラで撮影した画像や、第三者から取得した画像等である。以下、ユーザ端末７に保存されている画像をユーザ画像という。
【００１９】
ユーザ端末７にはフォトブック注文アプリ（アプリケーションプログラム）がインストールされており、アプリを実行することで、ユーザ画像を使用したフォトブックの注文が行えるようになっている。ユーザは、ユーザ端末７を操作し、端末内のユーザ画像を選択して配置し、フォトブックの注文を行う。ユーザ端末７は、フォトブックのサイズや冊数、配送先住所等を含む注文情報と、フォトブックに使用しているユーザ画像を含むフォトブックデータとを、サーバ装置１へ送信する。
【００２０】
サーバ装置１は、ユーザ端末７からフォトブックの注文を受け付けると、フォトブックに使用されているユーザ画像の考査処理を行う。考査処理では、ユーザ画像が、フォトブックの作製に使用してよい画像であるか否かを判定する。フォトブックの作製に使用できない画像は、例えば、芸能人やキャラクター等をプロカメラマンが撮影した著作権のある画像、全裸画像や犯罪性がある画像のような公序良俗に反する画像である。
【００２１】
サーバ装置１は、考査処理によりフォトブックの作製に使用できないと判定したユーザ画像（不適切画像）をユーザ端末７に通知し、図２に示すように、権利で保護された対象が写っている部分や公序良俗に反するものが写っている部分等の不適切部分Ｎを提示すると共に、不適切部分を修正するか、又は画像を差し替えるか、対処方法の選択を求める。不適切部分の修正には、サーバ装置１側で自動的に行う自動修正と、ユーザ自身で行う手動修正がある。
【００２２】
画像を差し替える場合、ユーザはボタンＢ３を押し、ユーザ端末７内から別の画像を選択する。手動修正する場合、ユーザはボタンＢ２を押し、画像編集画面を操作して画像を修正する。
【００２３】
ユーザがボタンＢ１を押して自動修正を選択すると、サーバ装置１はユーザ画像における不適切部分の位置や形状、不適切部分の面積比率を計算する。例えば、サーバ装置１は、不適切部分の面積比率が小さい場合、不適切部分の形状に合うスタンプを合成して不適切部分が隠れるようにする。サーバ装置１は、修正後の画像をユーザ端末７へ送信する。例えば、ユーザ端末７は、図３に示すようにスタンプＳＴが合成された修正後の画像を表示し、ユーザに承認を求める。ユーザは、修正を受け入れる場合、ボタンＢ４を押す。ボタンＢ５を押してスタンプの種類を変更してもよい。ボタンＢ６を押して図２に示す画面に戻り、別の対処方法を選択し直してもよい。
【００２４】
サーバ装置１は、図４に示すように、不適切部分の周囲の色に基づく色で不適切部分を塗りつぶし、不適切部分を消去してもよい。
【００２５】
図５に示すように、不適切部分の面積比率が大きい場合、サーバ装置１はレイアウトを変更して不適切部分が印刷エリアに入らなくなるようにしてもよい。あるいはまた、ユーザ画像の拡大、縮小、回転等の編集を行い、不適切部分が印刷エリアに入らなくなるようにしてもよい。
【００２６】
また、不適切部分と、それ以外の部分との前後方向の位置が異なる場合、サーバ装置１は、画像のぼかし処理により不適切部分をぼかしてもよい。例えば、ユーザ画像に写っている人物の顔の大きさから、人物の前後方向の位置を求めることができる。
【００２７】
ユーザが自動修正を選択した場合、図６に示すように、不適切部分の位置や面積比率に基づく好適な複数の修正方法を提示し、ユーザが修正方法を選択できるようにしてもよい。図６は、「スタンプ」「ぼかし」「レイアウト変更」から修正方法を選択する例を示している。
【００２８】
ユーザが自動修正後の画像を承認すると、サーバ装置１は修正後の画像にフラグを付与する。
【００２９】
画像の修正や差し替えによりフォトブックに使用されている画像に問題が無くなった場合、サーバ装置１はフォトブックの代金の決済処理を行う。決済処理後、考査者が考査者端末３を用いてフォトブックに使用されている画像を目視確認する。フラグが付与されている画像は、サーバ装置１による自動修正処理を経たものであるため、問題があることが一目でわかるようなものを検出する簡易的な考査を行うか、又は考査対象外とする。
【００３０】
考査者による考査後、サーバ装置１は、フォトブックのプリントデータを工場５へ送信する。工場５に設置されたプリンタ（図示略）は、受信したプリントデータに基づいて印画処理を行い、フォトブック６を作製する。工場５で作製されたフォトブック６は、ユーザへ配送される。
【００３１】
このように、本実施形態によれば、フォトブックの注文が行われると、決済処理前にサーバ装置１が考査処理を行う。不適切画像が検出された場合、この画像についてユーザは自動修正を行うことができる。自動修正を行うことで、ユーザの作業負荷はほとんどない。また、自動修正された画像については、考査者は簡易的な考査のみ行えばよく、あるいはまた考査対象外とすることができるため、考査の作業負荷を低減できる。また、オペレータが考査リジェクトの理由や画像の修正や差し替え方法を、ユーザへ詳細に伝える作業が省略できる。
【００３２】
次に、考査処理装置として機能するサーバ装置１の構成について説明する。図７に示すように、サーバ装置１は、制御部１０、記憶部２０、及び通信部３０を備える。制御部１０は、サーバ装置１の全体を制御する中央処理装置（ＣＰＵ）である。制御部１０は、記憶部２０に記憶されているオペレーティングシステム（ＯＳ）やアプリケーションプログラムを読み出して実行することにより、各種機能を実現する。
【００３３】
記憶部２０は、制御部１０が各種の処理を実行するために必要なプログラムやデータ等を記憶するための記憶領域であり、ハードディスクや半導体メモリ等が用いられる。記憶部２０は、保護対象画像ＤＢ（データベース）２１、注文情報ＤＢ２２、ユーザ画像ＤＢ２３、及び修正画像ＤＢ２４を有する。
【００３４】
保護対象画像ＤＢ２１は、芸能人やキャラクター等の著作権や肖像権等で保護された対象の画像（保護対象画像）を記憶する記憶領域である。
【００３５】
注文情報ＤＢ２２は、フォトブックのサイズ、注文数、配送先住所、注文者氏名等を含む注文情報を記憶する記憶領域である
【００３６】
ユーザ画像ＤＢ２３は、ユーザ端末７から受信したフォトブックデータに含まれるユーザ画像を記憶する記憶領域である。
【００３７】
修正画像ＤＢ２４は、サーバ装置１で作成された修正画像を記憶する記憶領域である。
【００３８】
制御部１０は、注文処理部１１、受信部１２、考査処理部１３、画像処理部１４、及び決済処理部１５の機能を備える。
【００３９】
注文処理部１１は、通信部３０を用いて、ユーザ端末７からフォトブックの注文情報を受信し、注文を受け付ける。注文情報は、注文情報ＤＢ２２に格納される。
【００４０】
受信部１２は、通信部３０を用いて、ユーザ端末７からフォトブックに使用されているユーザ画像のデータを受信し、ユーザ画像ＤＢ２３に格納する。
【００４１】
考査処理部１３は、フォトブックに使用されているユーザ画像の考査処理を行い、フォトブックの作製に使用できない不適切画像の有無を判定する。例えば、考査処理部１３は、ユーザ画像と保護対象画像ＤＢ２１内の保護対象画像とを比較し、ユーザ画像に、芸能人やキャラクター等の著作権・肖像権等で保護された対象が含まれている場合、不適切画像と判定する。また、考査処理部１３は、全裸画像のような公序良俗に反する画像を不適切画像と判定する。全裸画像の検出には公知の方法を用いることができる。
【００４２】
制御部１０は、考査処理部１３が不適切画像と判定した画像を、不適切部分が分かるように、ユーザ端末７に通知する。また、制御部１０は、ユーザ端末７に対し、不適切部分を修正するか、又は画像を差し替えるか、対処方法の選択を要求する。
【００４３】
画像処理部１４は、考査処理部１３が不適切画像と判定した画像について、不適切部分を修正する。画像処理部１４は、画像における不適切部分の位置、形状、大きさ（面積比率）、周囲の色等に応じた方法で修正を行う。
【００４４】
例えば、不適切部分の面積比率が所定値未満の場合、画像処理部１４は、不適切部分にスタンプを合成して不適切部分が隠れるようにする。不適切部分の面積比率が所定値以上の場合、画像処理部１４は、レイアウトを変更したり、ユーザ画像の拡大、縮小、回転等の編集を行ったりして、不適切部分が印刷エリアに入らないようにする。不適切部分とその他の被写体とで前後方向の位置が異なる場合、画像処理部１４は不適切部分をぼかす。不適切部分の周囲が単純な色（パターン）である場合、画像処理部１４は、その色（パターン）が連続するように不適切部分を塗りつぶして消去する。
【００４５】
画像処理部１４による修正後の画像は、修正画像ＤＢ２４に格納される。
【００４６】
画像処理部１４は、考査処理部１３からの自動修正の要求に伴い、不適切部分を修正する。画像処理部１４は、いずれか１つの方法で修正した修正画像を作成してもよいし、複数の方法で修正した複数の修正画像を作成してもよい。制御部１０は、１又は複数の修正画像をユーザ端末７へ送信する。修正画像を１つ送信する場合、制御部１０は、その修正画像の承認を求める。複数の修正画像を送信する場合、制御部１０は、修正画像の選択を求める。
【００４７】
決済処理部１５は、フォトブックのサイズ、ページ数、注文冊数等に基づいて代金を計算し、決済処理を行う。
【００４８】
次に、図８に示すフローチャートを用いて、考査処理の流れを説明する。なお、図８では、フォトブックに使用されているユーザ画像内の不適切部分を自動修正する例について説明する。
【００４９】
ユーザがユーザ端末７を操作し、ユーザ端末７に保存されているユーザ画像を選択してテンプレートに配置し、フォトブックデータを作成し、フォトブックの注文を行う。ユーザ端末７は、フォトブックの注文情報と、フォトブックに使用しているユーザ画像を含むフォトブックデータをサーバ装置１へ送信する。
【００５０】
サーバ装置１がフォトブックの注文を受け付けると（ステップＳ１）、考査処理部１３が、フォトブックに使用されているユーザ画像と、芸能人やキャラクター等の著作権や肖像権等で保護された対象の画像（保護対象画像）とを比較する（ステップＳ２）。
【００５１】
ユーザ画像に、著作権や肖像権等の権利で保護された対象が含まれている場合、サーバ装置１は、フォトブックの作製に使用できない不適切画像と判定する。また、考査処理部１３は、全裸画像のような公序良俗に反する画像についても不適切画像と判定する。ユーザ端末７からの自動修正要求に伴い、画像処理部１４が、不適切画像における不適切部分の位置や面積比率を計算する（ステップＳ４）。
【００５２】
画像処理部１４は、計算結果に基づく好適な修正方法を選択し（ステップＳ５）、画像を修正する（ステップＳ６）。
【００５３】
修正後の画像がユーザ端末７へ送信され、表示される。ユーザが修正後の画像を承認すると（ステップＳ７＿Ｙｅｓ）、制御部１０は修正後の画像にフラグを付与する（ステップＳ８）。また、制御部１０は、フォトブックデータ内の画像を修正後の画像に変更する。
【００５４】
フォトブックに使用されているユーザ画像に、権利で保護された対象が含まれておらず、また公序良俗に反しない場合（ステップＳ３＿Ｎｏ）、又は不適切部分が自動修正された後、サーバ装置１は決済処理を行う（ステップＳ９）。
【００５５】
決済処理後、フォトブックに使用されているユーザ画像について、考査者が考査を行う（ステップＳ１０）。この時、フラグが付与されている画像については、簡易的に考査するだけとするか、又は考査対象外とする。
【００５６】
考査者によって全てのユーザ画像について問題無いことが確認されると（ステップＳ１１＿Ｙｅｓ）、考査処理が終了する。サーバ装置１は、考査を終えたフォトブックのプリントデータを工場５へ送信する。考査者は、問題のあるユーザ画像を検出した場合（ステップＳ１１＿Ｎｏ）、フォトブックを注文したユーザに連絡をとり、画像の出所を確認したり、再編集を依頼したりする（ステップＳ１２）。
【００５７】
このように、本実施形態によれば、フォトブックの注文が行われると、決済処理前にサーバ装置１が考査処理を行い、権利で保護された対象が写っている画像を検出し、不適切部分を自動修正する。そのため、ユーザは、自身で修正作業を行ったり、差し替え用の画像を探したりする必要がなく、作業負荷を軽減できる。また、自動修正した画像については、考査者は簡易的な考査のみ行うか、又は考査しなくてよく、考査の作業負荷を低減できる。また、オペレータが考査リジェクトの理由や画像の修正や差し替え方法を、ユーザへ詳細に伝える作業が省略できる。
【００５８】
上記実施形態では、ユーザ端末７に保存されているユーザ画像を用いてフォトブックデータを作成する例について説明したが、ユーザ端末からオンラインストレージに予めアップロードした画像の中から画像を選択し、フォトブックデータを作成してもよい。
【００５９】
上記実施形態では、ユーザ端末７にインストールされたフォトブック注文アプリを実行する例について説明したが、クラウド（クラウドコンピューティング）を通じて機能やサービスを提供するクラウドアプリを使用し、サーバ装置１が処理を行うようにしてもよい。
【００６０】
上記実施形態では、考査処理によりフォトブックの作製に使用できないと判定したユーザ画像があった場合、図２に示すような対処方法の選択画面を表示していたが、このような選択画面の表示を省略し、サーバ装置１側で自動修正を実行してもよい。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６２】
１  サーバ装置
３  考査者端末
５  工場
６  フォトブック
７  ユーザ端末
【図１】
2019213093.tif 000003
【図２】
2019213093.tif 000004
【図３】
2019213093.tif 000005
【図４】
2019213093.tif 000006
【図５】
2019213093.tif 000007
【図６】
2019213093.tif 000008
【図７】
2019213093.tif 000009
【図８】
2019213093.tif 000010